(57)【要約】【課題】複数のＬＥＤパッケージのうちに、ＬＥＤパッケージが所定の位置や方向からずれて配置されたものがあっても、これによる光ムラが目立たないＬＥＤ照明器具を提供する。【解決手段】反射面４１１を有する光制御部材４１が前方に設けられる複数のＬＥＤパッケージ３３を、所定幅を有する円環領域Ｒ１内に配置するようにしたので、ＬＥＤパッケージ３３と光制御部材４１との位置関係のずれは、ある程度許容される。従って、複数のＬＥＤパッケージ３３が発する光は、初めから全体的にある程度の光ムラがある。このため、複数のＬＥＤパッケージ３３のうちに、位置や方向がずれて配置されたＬＥＤパッケージ３３があっても、このずれたＬＥＤパッケージ３３による光ムラは目立たない。また、製造における精度が緩くなるため、製造が容易になる。【選択図】図２
2013239268.tif 000002
【特許請求の範囲】
【請求項１】
複数のＬＥＤパッケージと、
前記各ＬＥＤパッケージに対応して前方に個々に設けられ、それぞれ反射面を有する複数の光制御部材と、
前記各ＬＥＤパッケージおよび前記各光制御部材が、所定幅を有する円環領域内に配置されたＬＥＤ照明器具。
【請求項２】
請求項１に記載のＬＥＤ照明器具において、
前記光制御部材が、入射口の内径よりも出射口の内径が大きなレンズであるＬＥＤ照明器具。
【請求項３】
請求項１に記載のＬＥＤ照明器具において、
前記光制御部材が、入射口の内径よりも出射口の内径が大きな反射板であるＬＥＤ照明器具。
【発明の詳細な説明】
【技術分野】
【０００１】
本発明は、光源として複数のＬＥＤを用い、各ＬＥＤの前方に光制御部材を用いたＬＥＤ照明器具に関するものである。
【背景技術】
【０００２】
従来より、ＬＥＤを光源として用いる照明器具が開発されており、基板上に同心円状に等間隔でＬＥＤを実装し、各ＬＥＤに対向した位置に光制御部材を設けた照明器具が提案されている（特許文献１参照）。
【０００３】
図１０に示すように、特許文献１に記載の照明器具１００は、天井埋込形のダウンライトである。照明器具１００は、光源ユニット１０１と、この光源ユニット１０１に取付けられた電源ユニット１０２を有する。
光源ユニット１０１の下面１０５には、光源であるＬＥＤ１０３と反射板１０４が取り付けられており、ＬＥＤ１０３が発した光を反射板１０４で反射して、所定の方向および範囲に光を照射している。
ＬＥＤ１０３および反射板１０４は、同心円状に配置されている。
【先行技術文献】
【特許文献】
【０００４】
【特許文献１】特開２０１０−１２３５７０号公報（第３図）
【発明の概要】
【発明が解決しようとする課題】
【０００５】
しかしながら、前述した従来の照明器具１００においては、複数のＬＥＤ１０３の光軸と反射板１０４の光軸とは対応するように同心円状に位置決めされて、光ムラが生じないようにしている。
このため、複数のＬＥＤ１０３のうちの一つまたはいくつかのＬＥＤ１０３の光軸と、反射板１０４の光軸との位置関係がずれると、光ムラの箇所が目立つという問題があった。
【０００６】
本発明は、従来の問題を解決するためになされたもので、複数のＬＥＤパッケージのうちに、ＬＥＤパッケージが所定の位置や方向からずれて配置されたものがあっても、これによる光ムラが目立たないＬＥＤ照明器具を提供することを目的とする。
【課題を解決するための手段】
【０００７】
本発明のＬＥＤ照明器具は、複数のＬＥＤパッケージと、前記各ＬＥＤパッケージに対応して前方に個々に設けられ、それぞれ反射面を有する複数の光制御部材と、を有し、前記各ＬＥＤパッケージおよび前記各光制御部材が、所定幅を有する円環領域内に配置されたものである。
【０００８】
また、本発明のＬＥＤ照明器具では、前記光制御部材が、入射口の内径よりも出射口の内径が大きなレンズであるものである。
【０００９】
さらに、本発明のＬＥＤ照明器具では、前記光制御部材が、入射口の内径よりも出射口の内径が大きな反射板であるものである。
【発明の効果】
【００１０】
本発明は、複数の反射面を有する光制御部材が前方に設けられる複数のＬＥＤパッケージを、所定幅を有する円環領域内に配置するようにしたので、ＬＥＤパッケージと光制御部材との位置関係のずれは、ある程度許容される。従って、複数のＬＥＤパッケージが発する光は、初めから全体的にある程度の光ムラがある。このため、複数のＬＥＤパッケージのうちに、位置や方向がずれて配置されたＬＥＤパッケージがあっても、このずれたＬＥＤパッケージによる光ムラは目立たないという効果を有するＬＥＤ照明器具を提供できる。
【図面の簡単な説明】
【００１１】
【図１】本発明に係る第１実施形態のＬＥＤ照明器具を一部縦に切断した断面図および側面図
【図２】図１中ＩＩ方向から見た底面図
【図３】図２中ＩＩＩ部分の拡大図
【図４】（Ａ）は図３中Ａ−Ａ位置の断面図であり、（Ｂ）は図３中Ｂ−Ｂ位置の断面図
【図５】本発明に係る第２実施形態のＬＥＤ照明器具を一部縦に切断した断面図および側面図
【図６】図５中ＶＩ方向から見た底面図
【図７】図６中ＶＩＩ部分の拡大図
【図８】（Ａ）は図７中Ａ−Ａ位置の断面図であり、（Ｂ）は図７中Ｂ−Ｂ位置の断面図
【図９】本発明に係る第３実施形態のＬＥＤ照明器具を下方から見た底面図
【図１０】従来の照明器具の底面図
【発明を実施するための形態】
【００１２】
（第１実施形態）
以下、本発明に係る第１実施形態のＬＥＤ照明器具について、図面を用いて説明する。
図１に示すように、本発明に係る第１実施形態のＬＥＤ照明器具１０Ａは、例えば被取付部である天井面１１に設けられている取付孔１２に取り付けて、主に下方を照明するダウンライトとして用いることができる。以下においては、ＬＥＤ照明器具１０Ａを天井面１１に取り付けた場合について説明する。
【００１３】
ＬＥＤ照明器具１０Ａは、天井面１１に取り付けられる枠体２０と、枠体２０に支持される灯具３０とを有する。
枠体２０は、天井面１１の取付孔１２に嵌め込まれる円筒形状の枠体本体２１を有し、枠体本体２１の下端には、天井面１１の下面に当接して露出する鍔部２２を有する。枠体本体２１の外面には、枠体２０を天井面１１に取り付けるための取付ばね２３が、所定間隔で複数個（例えば、３個）設けられている。取付ばね２３は、常時下方（図１中矢印Ａ方向）へ付勢されている。
従って、鍔部２２と取付ばね２３との間に天井部材（天井面１１）を挟むことにより、枠体２０が天井面１１に固定される。
【００１４】
灯具３０は、多数の放熱フィン３１１を上下方向に有する灯具本体３１を有する。灯具本体３１は、例えばアルミダイキャストにより製造できる。
灯具本体３１の上部には、灯具本体３１に直交する水平方向に伸びるブラケット３１２が設けられている。このブラケット３１２には、電源装置３２および電源装置３２を商用電源と接続するための端子台３２１が取り付けられている。
【００１５】
図１および図２に示すように、灯具本体３１の下面３１３には、複数のＬＥＤパッケージ３３が取り付けられる。複数のＬＥＤパッケージ３３は、円板状のパッケージ基板３４に複数の表面実装型ＬＥＤ３５（以後、「ＬＥＤ３５」で表示する。）を実装して構成される。
パッケージ基板３４は、シリコン樹脂製の熱伝導シート３６を介して灯具本体３１の下面３１３に取り付けられる。これにより、ＬＥＤパッケージ３３が発した熱を灯具本体３１に伝達し、放熱フィン３１１により放熱する。
【００１６】
ＬＥＤパッケージ３３の前方には、レンズユニット４０が取り付けられる。
レンズユニット４０は、複数のＬＥＤパッケージ３３に対応して前方に個々に設けられた光制御部材である複数のレンズ４１を、円板状の連結板４２により結合して構成される。レンズユニット４０は、レンズ４１および連結板４２が透明なアクリル樹脂で一体成形により形成される。レンズ４１は、平面視円形状であり、入射口４１Ｄの内径寸法Ｌ１よりも出射口４１Ｅの内径寸法Ｌ２が大きく、入射した光を全反射する反射面４１１を有する。
レンズユニット４０は、枠体２０の鍔部２２により、枠体２０に取り付けられる。
【００１７】
図２に示すように、ＬＥＤパッケージ３３は、所定の幅を有する円環領域Ｒ１の内部に配置される。なお、ＬＥＤパッケージ３３の位置とは、すなわち、ＬＥＤ３５の位置であるので、以後の説明においては、ＬＥＤ３５の位置として説明する場合もある。
ここで、円環領域Ｒ１とは、半径が所定の長さだけ異なる二つの同心円で構成される円環状（リング状）の仮想的な領域を意味する。また、円環領域Ｒ１の中心の円を、中心円ＲＣで示す（図３参照）。
従って、複数のＬＥＤ３５は、厳密に一つの中心円ＲＣ上に配置する必要は無く、円環領域Ｒ１の内部であれば、ずれても許容される。
また、レンズ４１は、レンズユニット４０として一体成形されるので、厳密に一つの円上に配置することが可能であるが、レンズ４１についても円環領域Ｒ１に設けることも可能である。
なお、図２を含め、以下に示す各図は、理解を容易にするために、誇張して描図している場合がある。
【００１８】
図３に示すように、円環領域Ｒ１内において左側に配置されるＬＥＤをＬＥＤ３５Ａ、ＬＥＤ３５Ａの光軸をＬＥＤ光軸３５１Ａ、左側に配置されるレンズをレンズ４１Ａ、レンズ４１Ａの光軸をレンズ中心軸４１２Ａで示す。
また、円環領域Ｒ１内においてＬＥＤ３５Ａの右側に配置されるＬＥＤをＬＥＤ３５Ｂ、ＬＥＤ３５Ｂの光軸をＬＥＤ光軸３５１Ｂ、右側に配置されるレンズをレンズ４１Ｂ、レンズ４１Ｂの光軸をレンズ中心軸４１２Ｂで示す。
【００１９】
図３には、レンズ中心軸４１２ＡとＬＥＤ光軸３５１Ａとのずれ方と、隣接するレンズ中心軸４１２ＢとＬＥＤ光軸３５１Ｂとのずれ方とが異なることを示している。
例えば、レンズ中心軸４１２ＡとＬＥＤ光軸３５１Ａとの距離ＬＡ（図４（Ａ）参照）と、レンズ中心軸４１２ＢとＬＥＤ光軸３５１Ｂとの距離ＬＢ（図４（Ｂ）参照）とが異なっている。また、距離（線分）ＬＡの方向と、距離（線分）ＬＢの方向も異なっている。
なお、図３においては、ＬＥＤ３５Ａと、右側に隣接するＬＥＤ３５Ｂについて説明したが、左側に隣接するＬＥＤ３５についても同様に、ずれの距離およびずれの方向を異なるようにする。
これにより、各ＬＥＤ３５およびレンズ４１によって生じる照射ムラは、異なる方向および異なる強度を持つので、全体に光ムラが生じることになる。
【００２０】
なお、上述した第１実施形態においては、ＬＥＤ光軸３５１Ａ、３５１Ｂとレンズ中心軸４１２Ａ、４１２Ｂのずれ距離ＬＡ、ＬＢおよびずれ方向を、隣り合うＬＥＤ３５Ａ、３５Ｂとレンズ４１Ａ、４１Ｂ間で異ならせた。
このほか、ずれ距離ＬＡ、ＬＢのみを異ならせてもよい。あるいは、ずれ方向のみを異ならせても良い。
【００２１】
以上、説明した本発明に係る第１実施形態のＬＥＤ照明器具１０Ａによれば、反射面４１１を有するレンズ４１が前方に設けられる複数のＬＥＤパッケージ３３を、所定幅を有する円環領域Ｒ１内に配置するようにしたので、ＬＥＤパッケージ３３とレンズ４１との位置関係のずれは、ある程度許容される。
従って、複数のＬＥＤパッケージ３３が発する光は、許容範囲であるものの、許容範囲内で初めから全体的にある程度の光ムラがある。
このため、複数のＬＥＤパッケージ３３のうちに、位置や方向が所定位置からずれて配置されたＬＥＤパッケージ３３があっても、このずれたＬＥＤパッケージ３３による光ムラは目立たない。
また、製造における精度が緩くなるため、製造が容易になる。
【００２２】
また、ＬＥＤパッケージ３３とレンズ４１との位置関係のずれは、ある程度許容され、複数のＬＥＤパッケージ３３が発する光は、初めから全体的にある程度の光ムラがある。
このため、複数のＬＥＤパッケージ３３のうちに、レンズ４１に対する位置や方向がずれて配置されたＬＥＤパッケージ３３があっても、このずれたＬＥＤパッケージ３３による光ムラは目立たない。
【００２３】
（第２実施形態）
次に、本発明に係る第２実施形態のＬＥＤ照明器具について、図面を用いて説明する。
なお、前述した第１実施形態に係るＬＥＤ照明器具１０Ａと共通する部位には同じ符号を付して、重複する説明を省略することとする。
【００２４】
図５および図６に示すように、第２実施形態に係るＬＥＤ照明器具１０Ｂでは、ＬＥＤパッケージ３３の前方に、反射板ユニット５０が取り付けられる。
反射板ユニット５０は、複数のＬＥＤパッケージ３３に対応した光制御部材である複数の反射板５１を、円板状の連結板５２により結合して構成される。反射板５１は、平面視円形状であり、入射口５１Ｄの内径寸法Ｌ３よりも出射口５１Ｅの内径寸法Ｌ４が大きく、入射した光を反射する反射面５１１を有する。
反射板ユニット５０は、例えば白色樹脂で一体成形により形成される。反射板ユニット５０は、枠体２０の鍔部２２により、枠体２０に取り付けられる。
【００２５】
図６に示すように、ＬＥＤパッケージ３３は、所定の幅を有する円環領域Ｒ１の内部に配置される。なお、ＬＥＤパッケージ３３の位置とは、すなわち、ＬＥＤ３５の位置であるので、以後の説明においては、ＬＥＤ３５の位置として説明する場合もある。
ここで、円環領域Ｒ１とは、半径が所定の長さだけ異なる二つの円で構成される円環状（リング状）の仮想的な領域を意味する。また、円環領域Ｒ１の中心の円を中心円ＲＣで示す（図７参照）。
従って、複数のＬＥＤ３５は、厳密に一つの中心円ＲＣ上に配置する必要は無く、所定量だけずれても許容される。
また、反射板５１は、反射板ユニット５０として一体成形されるので、厳密に一つの円上に配置することが可能であるが、反射板５１についても円環領域Ｒ１に設けることも可能である。
【００２６】
図７に示すように、円環領域Ｒ１内において左側に配置されるＬＥＤをＬＥＤ３５Ａ、ＬＥＤ３５Ａの光軸をＬＥＤ光軸３５１Ａ、左側に配置される反射板を反射板５１Ａ、反射板５１Ａの光軸を反射板中心軸５１２Ａで示す。
また、円環領域Ｒ１内においてＬＥＤ３５Ａの右側に配置されるＬＥＤをＬＥＤ３５Ｂ、ＬＥＤ３５Ｂの光軸をＬＥＤ光軸３５１Ｂ、右側に配置される反射板を反射板５１Ｂ、反射板５１Ｂの光軸を反射板中心軸５１２Ｂで示す。
【００２７】
図７には、反射板中心軸５１２ＡとＬＥＤ光軸３５１Ａとのずれ方と、隣接する反射板中心軸５１２ＢとＬＥＤ光軸３５１Ｂとのずれ方とが異なることを示している。
例えば、反射板中心軸５１２ＡとＬＥＤ光軸３５１Ａとの距離ＬＡ（図８（Ａ）参照）と、反射板中心軸５１２ＢとＬＥＤ光軸３５１Ｂとの距離ＬＢ（図８（Ｂ）参照）とが異なっている。また、距離（線分）ＬＡの方向と、距離（線分）ＬＢの方向も異なっている。
なお、図７においては、ＬＥＤ３５Ａと、右側に隣接するＬＥＤ３５Ｂについて説明したが、左側に隣接するＬＥＤ３５についても同様に、ずれの距離およびずれの方向を異なるようにする。
これにより、各ＬＥＤ３５および反射板５１によって生じる照射ムラは、異なる方向および異なる強度を持つことになる。
【００２８】
なお、上述した第２実施形態においては、ＬＥＤ光軸３５１Ａ、３５１Ｂと反射板中心軸５１２Ａ、５１２Ｂのずれ距離ＬＡ、ＬＢおよびずれ方向を、隣り合うＬＥＤ３５Ａ、３５Ｂと反射板５１Ａ、５１Ｂ間で異ならせた。
このほか、ずれ距離ＬＡ、ＬＢのみを異ならせてもよい。あるいは、ずれ方向のみを異ならせても良い。
【００２９】
以上、説明した本発明に係る第２実施形態のＬＥＤ照明器具１０Ｂによれば、ＬＥＤパッケージ３３と反射板５１との位置関係のずれは、ある程度許容され、複数のＬＥＤパッケージ３３が発する光は、許容範囲であるものの、許容範囲内で初めから全体的にある程度の光ムラがある。
このため、複数のＬＥＤパッケージ３３のうちに、位置や方向がずれて配置されたＬＥＤパッケージ３３があっても、このずれたＬＥＤパッケージ３３による光ムラは目立たない。
【００３０】
（第３実施形態）
次に、本発明に係る第３実施形態のＬＥＤ照明器具について、図面を用いて説明する。
なお、前述した第１実施形態に係るＬＥＤ照明器具１０Ａまたは第２実施形態に係るＬＥＤ照明器具１０Ｂと共通する部位には同じ符号を付して、重複する説明を省略することとする。
【００３１】
図９に示すように、第３実施形態のＬＥＤ照明器具１０Ｃでは、光制御部材を平面視長円形状とした。ここでは、光制御部材としてレンズ４１Ｃを用いた場合を例示するが、反射板５１Ｃを用いる場合も全く同様である。
レンズ４１Ｃは、平面視長軸の方向が隣接するレンズ４１Ｃの平面視長軸の方向と異なるように配置した。
【００３２】
以上、説明した本発明に係る第３実施形態のＬＥＤ照明器具１０Ｃによれば、レンズ４１Ｃを長円にすることで配光に方向性を持つことができる。
また、それぞれのレンズ４１Ｃ（反射板５１Ｃ）の平面視長軸が異なる方向を向いているので、ＬＥＤパッケージ３３とレンズ４１Ｃ（反射板５１Ｃ）の位置関係がずれても各々のＬＥＤパッケージ３３からの光が特定の方向に片寄ることはない。
これにより、ＬＥＤ照明器具全体としては、均一な照射光を得ることが出来る。
なお、レンズ４１Ｃ（反射板５１Ｃ）の形状は楕円でもよい。
【００３３】
なお、本発明のＬＥＤ照明器具は、前述した各実施形態に限定されるものでなく、適宜な変形、改良等が可能である。
例えば、前述した各実施形態においては、ＬＥＤパッケージ３３の位置を基準にしてレンズ４１や反射板５１の配置をずらしているが、レンズ４１や反射板５１の位置を基準にしてＬＥＤパッケージ３３の配置をずらし設計してもよい。
【００３４】
また、前述した各実施形態においては、円環領域Ｒ１が一重の場合について説明したが、本発明は、円環領域Ｒ１が二重以上であっても適用可能である。
【符号の説明】
【００３５】
１０Ａ、１０Ｂ、１０Ｃ  ＬＥＤ照明器具
３３  ＬＥＤパッケージ
４１  レンズ（光制御部材）
４１１  反射面
５１  反射板（光制御部材）
５１１  反射面
Ｒ１  円環領域
【図１】
2013239268.tif 000003
【図２】
2013239268.tif 000004
【図３】
2013239268.tif 000005
【図４】
2013239268.tif 000006
【図５】
2013239268.tif 000007
【図６】
2013239268.tif 000008
【図７】
2013239268.tif 000009
【図８】
2013239268.tif 000010
【図９】
2013239268.tif 000011
【図１０】
2013239268.tif 000012